(57)【要約】      （修正有）【課題】溝蓋の着脱作業がし易く、かつ排水溝路に対して溝蓋を完全に固定し得るとともに、溝蓋が固定状態か否かを目視によって容易に判断できる溝蓋のロック装置を提供する。【解決手段】蓋受杆（梁部材１０）の下面に当接可能な前端の当接端部３２と、ホルダー２２に対する回動を規制する回動規制手段と、前記ロックボルト２６と螺合される上下方向の螺子孔３０とを備えたロック片２９を、螺子孔３０に螺合されたロックボルト２６によりホルダー２２に吊持して、前端の当接端部３２が蓋受杆（梁部材１０）の下面に対向する進出位置と、該進出位置から退避する退避位置間を進退するように設け、前記ロックボルト２６の回転操作により、その螺進作用を介して昇降させるようにした。【選択図】図３
2007169993.tif 000002
【特許請求の範囲】
【請求項１】
排水溝路の上部に配設される左右の支持枠間に横架された蓋受杆上に乗載されて、左右の支持枠間の開口部を覆う溝蓋を、前記蓋受杆に移動不能に保持するためのロック装置であって、
前記蓋受杆に略直交する方向に沿う所定長さの長孔が形成された主板部を備え、該主板部が溝蓋の下部位置に略水平状に配設されたホルダーと、
該ホルダーの長孔に上方から挿通されて、該長孔の上部孔縁に係合する径大な操作頭部によって支持され、溝蓋の上方から回転操作可能で、かつ長孔によって該長孔の長手方向に沿う移動範囲が規制されるロックボルトと、
蓋受杆の下面に当接可能な前端の当接端部と、ホルダーに対する回動を規制する回動規制手段と、前記ロックボルトと螺合される上下方向の螺子孔とを備え、該螺子孔に螺合されたロックボルトによりホルダーに吊持されて、前端の当接端部が蓋受杆の下面に対向する進出位置と、該進出位置から退避する退避位置間を進退し、前記ロックボルトの回転操作により、その螺進作用を介して昇降するように設けられたロック片と
を備えたことを特徴とする溝蓋のロック装置。
【請求項２】
排水溝路の上部内縁に配設された蓋受枠に側縁が支承されて、排水溝路の上部開口を覆う溝蓋を、前記蓋受枠に移動不能に保持するためのロック装置であって、
前記蓋受枠に略直交する方向に沿う所定長さの長孔が形成された主板部を備え、該主板部が溝蓋の側縁近傍の下部位置に略水平状に配設されたホルダーと、
該ホルダーの長孔に上方から挿通されて、該長孔の上部孔縁に係合する径大な操作頭部によって支持され、溝蓋の上方から回転操作可能で、かつ長孔によって該長孔の長手方向に沿う移動範囲が規制されるロックボルトと、
蓋受枠の下面に当接可能な前端の当接端部と、ホルダーに対する回動を規制する回動規制手段と、前記ロックボルトと螺合される上下方向の螺子孔とを備え、該螺子孔に螺合されたロックボルトによりホルダーに吊持されて、前端の当接端部が蓋受枠の下面に対向する進出位置と、該進出位置から退避する退避位置間を進退し、前記ロックボルトの回転操作により、その螺進作用を介して昇降するように設けられたロック片と
を備えたことを特徴とする溝蓋のロック装置。
【請求項３】
主板部の上面に、ロック片の進出位置におけるロックボルトの操作頭部に後方から当接して、ロック片を進出位置に保持するロック解除規制突起が設けられていることを特徴とする請求項１または請求項２記載の溝蓋のロック装置。
【発明の詳細な説明】
【技術分野】
【０００１】
本発明は、道路の側部に設けられた側溝や道路を横断するように設けられた横断溝等の排水溝路に被着される溝蓋を、移動不能に保持するためのロック装置に関する。
【背景技術】
【０００２】
一般に、側溝や横断溝等の排水溝路の上部開口を覆う溝蓋は、排水溝路の対向する上部内縁に夫々配設された蓋受枠に両側縁が支承された状態で、排水溝路に着脱可能に被着されている。このような溝蓋を、鉄やステンレス等の金属材を用いて形成した場合にあって、その成形時の精度誤差によって僅かな反りが生じていたり、使用時に蓋受枠との接触面にゴミや砂等の異物が噛み込んでいたりすると、人や自動車の通行によって溝蓋がガタ付いて騒音が発生したり、自動車の通行による衝撃で溝蓋が跳ね上がるという問題点がある。
【０００３】
本願出願人は、このような問題点を解消し得る溝蓋の跳ね上がり防止装置を先に提案している（特許文献１参照）。この跳ね上がり防止装置ａは、図１２に示すように、排水溝路ｂの蓋受枠ｃに支承される溝蓋ｄの、その側縁底面に上端を固着して下方に垂設した垂直片部ｅと、該垂直片部ｅの下端から上方に折り返された弾性圧接片部ｆとを備えており、溝蓋ｄの側縁を蓋受枠ｃに支承した状態で、前記弾性圧接片部ｆを排水溝路ｂの内側面ｇに弾接させることにより、溝蓋ｄに対して衝撃が加えられても容易に跳ね上がらない保持作用が得られるようになっている。
【０００４】
一方、近年、排水溝路の上部に該排水溝路の上部開口よりも狭い開口部を生じる左右一対の蓋受枠を配設し、前記開口部を通常の溝蓋に比して狭幅の溝蓋によって覆うようにした排水溝構造が種々案出されている。このような排水溝構造に用いられる狭幅の溝蓋は、通常の溝蓋に比して軽量であるため、自動車の通行による衝撃によってさらに跳ね上がり易いものとなっている。この対策として、溝蓋の下面に設けた締結具によって溝蓋を蓋受枠に対して固定し得るようにした構成が提案されている（特許文献２参照）。
【０００５】
かかる構成は、図１３，図１４に示すように、グレーチングからなる溝蓋ｄの下面に保持部材ｈが固着され、該保持部材ｈの水平片ｊに形成した切欠溝ｋにロックボルトｍが上方から挿通されて回動可能に支持されている。このロックボルトｍには、保持部材ｈの下方に突出する軸部ｎに杆状の固定部材ｐが螺合されている。また、排水溝路ｂの上部開口に配設された断面Ｌ形の両蓋受枠ｒ，ｒの立ち上がり縁ｓ，ｓには、その内側面に溝蓋の両側縁を支承する受材ｔ，ｔが対向状に取付けられている。ここで、前記固定部材ｐは、図１４に示すように、その長さ寸法が両立ち上がり縁ｓ，ｓの相互間隔よりやや長い寸法に設定されており、ロックボルトｍに対する回転操作に伴って回転する固定部材ｐの、その両端部を前記両立ち上がり縁ｓ，ｓの内側面に当接させることによって、固定部材ｐの回転規制作用が得られるようにしている。そして、溝蓋ｄの固定に際しては、溝蓋ｄの両側縁を前記受材ｔ，ｔに支承させるとともに、固定部材ｐを該受材ｔ，ｔの下方に位置させた状態で、ロックボルトｍをドライバー等の工具によって緊締方向に回転操作することにより、該ロックボルトｍとともに回転する固定部材ｐの両端部を、両立ち上がり縁ｓ，ｓの内側面に当接させ、この固定部材ｐの回転規制状態で、さらにロックボルトｍを回転させることによって、その螺進作用を介して固定部材ｐを上昇させて、その両端部を受材ｔ，ｔの下面に圧接させることにより、溝蓋ｄを固定し得るようになっている。また、この固定状態において、ロックボルトｍを弛緩方向へ回転操作することにより、先ず螺進作用を介して固定部材ｐが降下して固定部材ｐの両端部と受材ｔ，ｔの下面との圧接が解除され、さらにロックボルトｍを回転させることによって、固定部材ｐが回動して受材ｔ，ｔから離脱する固定解除状態とし得るようになっている。ここで、ロックボルトｍは、溝蓋ｄが固定状態にあっても、固定解除状態にあっても、常に同じ位置に保持されており、全くその位置を動かないものとなっている。
【特許文献１】特開２００２−３６４０６０号公報
【特許文献２】特開２００５−３００４２号公報
【発明の開示】
【発明が解決しようとする課題】
【０００６】
ところで、上述した特許文献１の跳ね上がり防止装置ａにあっては、排水溝路ｂの内側面ｇに対する弾接力を得るために、弾性圧接片部ｆの非圧接状態において、該弾性圧接片部ｆが排水溝路ｂの内側面ｇより外方に突出する位置関係で設けられていることにより、溝蓋ｄの着脱時においては弾性圧接片部ｆが排水溝路ｂの内側面ｇに常に弾接した状態で摺動するため、その際に生じる摺動抵抗によって溝蓋ｄの着脱作業がし難いという問題点があった。また、排水溝路ｂの内側面ｇに対する弾性圧接片部ｆの弾接力のみによって、溝蓋ｄを排水溝路ｂに保持するものであるため、溝蓋ｄの完全な固定作用を得ることができなかった。
【０００７】
また、特許文献２に開示された構成にあっては、受材ｔ，ｔの下面に対する固定部材ｐの圧接作用によって、溝蓋ｄを蓋受枠ｒ，ｒに固定することができるのであるが、ロックボルトｍが同じ位置で回転するものであるため、自動車等の通行により生じる振動によって、該ロックボルトｍが緩んで固定部材ｐが受材ｔ，ｔから離脱した場合に、これをロックボルトｍの位置を見て判断することが極めて困難であった。また、該固定部材ｐは、回転規制作用を得るために、蓋受枠ｒ，ｒの両立ち上がり縁ｓ，ｓの相互間隔よりやや長い寸法に設定されていることにより、両端部が両立ち上がり縁ｓ，ｓの内側面に当接した状態では、図１４に示すように、平面視において、両立ち上がり縁ｓ，ｓに対して傾斜する状態となり、この傾斜状態で受材ｔ，ｔの下面に圧接されるが、上記のようにロックボルトｍが緩んで固定部材ｐが固定解除方向へ回転し、該固定部材ｐが受材ｔ，ｔから僅かに離れた場合にあっても、固定部材ｐが両立ち上がり縁ｓ，ｓに対して傾斜する状態となるため、固定部材ｐの位置で固定状態か否かを判断することも困難であり、しかも該固定部材ｐはその上部にある保持部材ｈの水平片ｊでその大部分が隠れているため、目視による固定状態か否かの判断がさらに困難なものとなっている。
【０００８】
本発明は、上述した摺動抵抗に起因する溝蓋の着脱作業のし難さを解消し、かつ、排水溝路に対して溝蓋を完全に固定し得るとともに、溝蓋が固定状態か否かを目視によって容易に判断できる溝蓋のロック装置を提供することを目的とするものである。
【課題を解決するための手段】
【０００９】
本発明は、排水溝路の上部に配設される左右の支持枠間に横架された蓋受杆上に乗載されて、左右の支持枠間の開口部を覆う溝蓋を、前記蓋受杆に移動不能に保持するためのロック装置であって、前記蓋受杆に略直交する方向に沿う所定長さの長孔が形成された主板部を備え、該主板部が溝蓋の下部位置に略水平状に配設されたホルダーと、該ホルダーの長孔に上方から挿通されて、該長孔の上部孔縁に係合する径大な操作頭部によって支持され、溝蓋の上方から回転操作可能で、かつ長孔によって該長孔の長手方向に沿う移動範囲が規制されるロックボルトと、蓋受杆の下面に当接可能な前端の当接端部と、ホルダーに対する回動を規制する回動規制手段と、前記ロックボルトと螺合される上下方向の螺子孔とを備え、該螺子孔に螺合されたロックボルトによりホルダーに吊持されて、前端の当接端部が蓋受杆の下面に対向する進出位置と、該進出位置から退避する退避位置間を進退し、前記ロックボルトの回転操作により、その螺進作用を介して昇降するように設けられたロック片とを備えたことを特徴とする溝蓋のロック装置である。
【００１０】
ここで、排水溝路の上部に配設される左右の支持枠は、排水溝路の上部開口よりも狭い開口部を生じるものであって、少なくとも一方に水平縁が連成された左右の立ち上がり縁を備え、該両立ち上がり縁が溝路の上部で所定間隔を置いて対向配置されて、該両立ち上がり縁間に狭幅の開口部が形成されるとともに、支持枠の水平縁によって残余の溝路の上部が覆われ、かつ両支持枠が該支持枠の長手方向に所定間隔で配設された複数の梁部材によって連結された構成が好ましく、さらに前記各梁部材が、支持枠の水平縁の上面に当接して配設され、かつ各梁部材の左右両端部が、溝路を構成する左右の側壁の上端面に、両支持枠の水平縁又は一方の支持枠の水平縁と他方の支持枠の立ち上がり縁とを介して乗載されている構成が好ましい。また、前記各梁部材上に支持枠の水平縁が乗載され、かつ各梁部材の左右両端部が、溝路を構成する左右の側壁の上端面に乗載されている構成であってもよい。
【００１１】
また、本発明は、排水溝路の上部内縁に配設された蓋受枠に側縁が支承されて、排水溝路の上部開口を覆う溝蓋を、前記蓋受枠に移動不能に保持するためのロック装置であって、前記蓋受枠に略直交する方向に沿う所定長さの長孔が形成された主板部を備え、該主板部が溝蓋の側縁近傍の下部位置に略水平状に配設されたホルダーと、該ホルダーの長孔に上方から挿通されて、該長孔の上部孔縁に係合する径大な操作頭部によって支持され、溝蓋の上方から回転操作可能で、かつ長孔によって該長孔の長手方向に沿う移動範囲が規制されるロックボルトと、蓋受枠の下面に当接可能な前端の当接端部と、ホルダーに対する回動を規制する回動規制手段と、前記ロックボルトと螺合される上下方向の螺子孔とを備え、該螺子孔に螺合されたロックボルトによりホルダーに吊持されて、前端の当接端部が蓋受枠の下面に対向する進出位置と、該進出位置から退避する退避位置間を進退し、前記ロックボルトの回転操作により、その螺進作用を介して昇降するように設けられたロック片とを備えたことを特徴とする溝蓋のロック装置である。
【００１２】
また、前記両構成のロック装置において、主板部の上面に、ロック片の進出位置におけるロックボルトの操作頭部に後方から当接して、ロック片を進出位置に保持するロック解除規制突起が設けられている構成が提案される。
【発明の効果】
【００１３】
本発明は、上述したように、蓋受杆に略直交する方向に沿う所定長さの長孔が形成された主板部を備え、該主板部が溝蓋の下部位置に略水平状に配設されたホルダーと、該ホルダーの長孔に上方から挿通されて、該長孔の上部孔縁に係合する径大な操作頭部によって支持され、溝蓋の上方から回転操作可能で、かつ長孔によって該長孔の長手方向に沿う移動範囲が規制されるロックボルトと、蓋受杆の下面に当接可能な前端の当接端部と、ホルダーに対する回動を規制する回動規制手段と、前記ロックボルトと螺合される上下方向の螺子孔とを備え、該螺子孔に螺合されたロックボルトによりホルダーに吊持されて、前端の当接端部が蓋受杆の下面に対向する進出位置と、該進出位置から退避する退避位置間を進退し、前記ロックボルトの回転操作により、その螺進作用を介して昇降するように設けられたロック片とを備えた溝蓋のロック装置であるから、前記ロックボルトに対する前方への移動操作により、ロック片が退避位置から進出位置に変換され、かつ該ロックボルトに対する緊締方向への回転操作により、その螺進作用を介してロック片が上昇して当接端部が蓋受杆の下面に圧接されるロック状態と、該ロック状態でのロックボルトの弛緩方向への回転操作により、螺進作用を介してロック片が降下して当接端部と蓋受杆との圧接が解除され、かつロックボルトに対する後方への移動操作により、該ロック片が退避位置に変換されるロック解除状態とを生じさせることができる。そして、前記ロック状態にあっては、当接端部が蓋受杆の下面に圧接されていることにより、溝蓋が蓋受杆に対して移動不能に保持され、これによって該溝蓋のガタ付きや跳ね上がりが生じない確実な固定作用を得ることができる。また、前記ロック解除状態で溝蓋を着脱し得るので、従来のように、溝蓋の着脱時において弾性圧接片部ｆ（図１２参照）が排水溝路の内側面に常に弾接した状態で摺動することによる摺動抵抗が生じることがなく、その着脱作業を楽に行うことができる。また、従来のように、ロックボルトｍ（図１４参照）が常に同じ位置を維持するものとは異なり、ロックボルトはロック片とともに進退するので、ロック状態において、万一、ロックボルトが緩んでロック片が後退し、ロック解除状態となった場合には、ロックボルトもロック片とともに後退するため、該ロックボルトの位置によって溝蓋が固定状態にあるか否かを目視で容易に判断することができる。
【００１４】
また、本発明は、蓋受枠に略直交する方向に沿う所定長さの長孔が形成された主板部を備え、該主板部が溝蓋の側縁近傍の下部位置に略水平状に配設されたホルダーと、該ホルダーの長孔に上方から挿通されて、該長孔の上部孔縁に係合する径大な操作頭部によって支持され、溝蓋の上方から回転操作可能で、かつ長孔によって該長孔の長手方向に沿う移動範囲が規制されるロックボルトと、蓋受枠の下面に当接可能な前端の当接端部と、ホルダーに対する回動を規制する回動規制手段と、前記ロックボルトと螺合される上下方向の螺子孔とを備え、該螺子孔に螺合されたロックボルトによりホルダーに吊持されて、前端の当接端部が蓋受枠の下面に対向する進出位置と、該進出位置から退避する退避位置間を進退し、前記ロックボルトの回転操作により、その螺進作用を介して昇降するように設けられたロック片とを備えた溝蓋のロック装置であるから、上記と同様に、ロックボルトに対する前方への移動操作により、ロック片が退避位置から進出位置に変換され、かつ該ロックボルトに対する緊締方向への回転操作により、その螺進作用を介してロック片が上昇して当接端部が蓋受枠の下面に圧接されるロック状態と、該ロック状態でのロックボルトの弛緩方向への回転操作により、螺進作用を介してロック片が降下して当接端部と蓋受枠との圧接が解除され、かつロックボルトに対する後方への移動操作により、該ロック片が退避位置に変換されるロック解除状態とを生じさせることができる。そして、前記ロック状態にあっては、当接端部が蓋受枠の下面に圧接されていることにより、溝蓋が蓋受枠に対して移動不能に保持され、これによって該溝蓋のガタ付きや跳ね上がりが生じない確実な固定作用を得ることができる。また、前記ロック解除状態で溝蓋を着脱し得るので、従来のように、溝蓋の着脱時において弾性圧接片部ｆ（図１２参照）が排水溝路の内側面に常に弾接した状態で摺動することによる摺動抵抗が生じることがなく、その着脱作業を楽に行うことができる。また、従来のように、ロックボルトｍ（図１４参照）が常に同じ位置を維持するものとは異なり、ロックボルトはロック片とともに進退するので、ロック状態において、万一、ロックボルトが緩んでロック片が後退し、ロック解除状態となった場合には、ロックボルトもロック片とともに後退するため、該ロックボルトの位置によって溝蓋が固定状態にあるか否かを目視で容易に判断することができる。
【００１５】
また、前記両構成のロック装置において、主板部の上面に、ロック片の進出位置におけるロックボルトの操作頭部に後方から当接して、ロック片を進出位置に保持するロック解除規制突起が設けられている構成にあっては、ロック状態において、万一、ロックボルトが緩んでも、ロックボルトの操作頭部に後方から当接しているロック解除規制突起によってロックボルトの後退が阻止され、ロック片が進出位置に保持されることにより、直ちにロック解除状態となることを防止することができる。
【発明を実施するための最良の形態】
【００１６】
以下に、本発明にかかる溝蓋のロック装置の第一実施例を、図１〜図３に基づいて説明する。
この第一実施例における排水溝路１は、図１に示すように、底壁３と左右の側壁４，４とによって断面略Ｕ字状に形成されたＵ字溝からなる複数の溝路部材２を、地盤の所定深さ位置に一列状に埋設して構築されている。
【００１７】
この排水溝路１の上部には、夫々垂直な立ち上がり縁６に水平縁７が連成された左右一対の支持枠５，５が配設されている。該支持枠５，５は、その立ち上がり縁６，６が排水溝路１の上部の略中央で所定間隔を置いて対向配置され、該両立ち上がり縁６，６間に排水溝路１の上部開口より狭い開口部８が形成されている。また、この開口部８以外の排水溝路１の上部開口は、両支持枠５，５の水平縁７，７で遮蔽されている。両支持枠５，５は、鉄鋼又はステンレス鋼からなる板状の金属材を素材にして形成されており、その長さは、排水溝路１の長手方向に沿う所定の長さとなっている。尚、各支持枠５の立ち上がり縁６と水平縁７は、図１に示すように、一枚の金属板を断面Ｌ形に屈曲させて形成してもよいし、二枚の金属板を溶接によって断面Ｌ形となるように接合して形成することも可能である。
【００１８】
左右の支持枠５，５は、該支持枠５，５の長手方向に所定間隔で配設された複数の梁部材１０によって連結されており、この第一実施例では該梁部材１０によって、左右の支持枠５，５間に横架された蓋受杆が構成されている。ここで、各梁部材１０は、後述する溝蓋１８Ａの、その少なくとも長手方向の両端近傍部に対応する位置に配設されている。各梁部材１０は強度に優れた金属製の角パイプからなり、その長さは、排水溝路１を構成する左右の側壁４，４の外面１１，１１から若干外方に突出する所定の長さとなっている。各梁部材１０は、支持枠５，５の水平縁７，７の上面に当接して配設され、該支持枠５，５の立ち上がり縁６，６に形成された挿通口１２，１２に挿通した状態で、水平縁７，７または水平縁７，７と挿通口１２，１２の口縁とに溶接によって接合されている。そして、このように左右の支持枠５，５を移動不能に連結した各梁部材１０の左右両端部が、排水溝路１を構成する左右の側壁４，４の上端面に、両支持枠５，５の水平縁７，７を介して乗載されている。
【００１９】
また、各梁部材１０の両端部には、溶接によって接合した固定杆１３が、排水溝路１の側壁４，４の外面１１，１１に沿うようにして夫々下方に垂設されており、各固定杆１３には固定螺子１４が夫々外側方から螺合されている。そして、該固定螺子１４を締め付け方向に回転操作して、各固定螺子１４の先端部を側壁４，４の外面１１，１１に圧接させることにより、その緊締作用を介して、梁部材１０及び支持枠５，５を排水溝路１の側壁４，４に固定するようにしている。そして、このような固定状態において、左右の支持枠５，５の水平縁７，７上に、排水溝路１の周囲上部に敷設されるコンクリート１５及び化粧タイル１６からなる舗装材１７が連続状に敷設されている。
【００２０】
前記立ち上がり縁６，６間に形成された開口部８には、溝蓋１８Ａが配設されている。該溝蓋１８Ａは、支持枠５，５の長手方向に沿って所定間隔で並列する複数のメインバー１９と該メインバー１９に直交する適数本のクロスバー２０（図２参照）とを備えた金属製のグレーチングからなり、開口部８に露出する前記各梁部材（蓋受杆）１０の上面に着脱可能に乗載されている。尚、各メインバー１９の相互間隔は、少なくとも上方からドライバーの軸部を挿通し得る所定の間隔に設定されている。また、この溝蓋１８Ａは、後述する第五実施例の溝蓋１８Ｂ（図７参照）のように排水溝路１の上部開口の全体を覆うものに比して狭幅に形成されており、自動車の通行による衝撃によって跳ね上がり易いものとなっている。
【００２１】
前記溝蓋１８Ａの少なくとも長手方向の両端近傍部で、前記梁部材１０に対応する位置には、本発明の要部にかかるロック装置２１が夫々配設されている。該ロック装置２１は、図２，図３に示すように、主板部２３と該主板部２３の前後両端縁から上方に延成された一対の側板部２４，２４とにより断面コ字形に形成されたホルダー２２を備えており、側板部２４，２４の上端を溝蓋１８Ａの底面に溶接によって接合することにより、前記主板部２３が溝蓋１８Ａの下部位置に略水平状に配設されている。主板部２３には、蓋受杆を構成する梁部材１０に略直交する方向に沿う所定長さの長孔２５が形成されており、該長孔２５にはロックボルト２６が上方から挿通されている。
【００２２】
前記ロックボルト２６は、長孔２５の上部孔縁に係合する径大な操作頭部２７によって支持されており、溝蓋１８Ａの上方から回転操作可能で、かつ長孔２５によって該長孔２５の長手方向に沿う移動範囲が規制されている。また、ロックボルト２６は、溝蓋１８Ａを構成するグレーチングの、その隣接するメインバー１９，１９間に生じる隙間内に位置しており、これによって溝蓋１８Ａの上方からの回転操作及び移動操作が可能となっている。
【００２３】
主板部２３の長孔２５から垂下するロックボルト２６の雄螺子杆部２８は、ロック片２９に形成された上下方向の螺子孔３０に螺合されており、これによってロック片２９がロックボルト２６によりホルダー２２に吊持されている。また、ロック片２９から下方に突出する雄螺子杆部２８の下端部には、緩み止め機能を備えたＵナット３１が螺着されており、該Ｕナット３１によってロックボルト２６の雄螺子杆部２８からロック片２９が脱落しないようになっている。尚、このロック片２９の脱落防止手段は、Ｕナット３１に代えて通常のナットを溶接によって雄螺子杆部２８に固着させて設けることも可能である。
【００２４】
ロック片２９は、前端に蓋受杆を構成する梁部材１０の下面に当接可能な当接端部３２を備えており、前記ロックボルト２６に対する進退操作によって、該当接端部３２が蓋受杆を構成する梁部材１０の下面に対向する進出位置（図２（ａ），図３（ａ）参照）と、該進出位置から退避する退避位置（図２（ｂ），図３（ｂ）参照）間を進退し、また、前記ロックボルト２６に対する回転操作により、その螺進作用を介して昇降するように設けられている。ここで、ロック片２９の後端には、前記進出位置でホルダー２２の後部側の端面２２’に当接して回動規制作用を生じる立ち上がり端部３３が設けられており、該立ち上がり端部３３によってホルダー２２に対するロック片２９の回動を規制する回動規制手段が構成されている。
【００２５】
また、前記主板部２３の上面には、ロック片２９の進出位置におけるロックボルト２６の操作頭部２７に後方から当接して、ロック片２９を進出位置に保持するロック解除規制突起３４が設けられている。該ロック解除規制突起３４は長孔２５の両側に左右一対で設けられており、その高さは、操作頭部２７が水平状態にあるとき該操作頭部２７の周縁に当接して後方への移動を阻止し、かつ操作頭部２７が傾斜状態で乗り越え可能な所定高さ（２ｍｍ程度）となっている。尚、このロック解除規制突起３４は、必要に応じて設けることができる。
【００２６】
かかる構成にあって、溝蓋１８Ａの少なくとも長手方向の両端近傍部に夫々配設された各ロック装置２１のロック片２９が、図２（ｂ），図３（ｂ）に示すように、退避位置にあるロック解除状態において、各ロックボルト２６の操作頭部２７にドライバー３５の先端を係合し、該ドライバー３５によってロックボルト２６を前方へ移動操作することにより、図２（ａ），図３（ａ）に示すように、ロック片２９が退避位置から進出位置に変換される。この時、主板部２３の上面にロック解除規制突起３４が設けられている場合には、ドライバー３５をロックボルト２６の操作頭部２７に係合した状態で後方へ傾斜させることにより、操作頭部２７が傾斜して前部側が主板部２３の上面から浮き上がるので、ロック解除規制突起３４を乗り越えて前方へ容易に移動させることができる。そして、このようにロック片２９の当接端部３２が蓋受杆を構成する梁部材１０の下面に対向する進出位置で、ロックボルト２６を緊締方向へ回転操作することにより、その螺進作用を介してロック片２９が上昇して当接端部３２が梁部材１０の下面に圧接するロック状態が得られる。そして、このロック状態においては、ロック片２９の当接端部３２が梁部材１０の下面に圧接されていることにより、溝蓋１８Ａが移動不能に保持され、これによって該溝蓋１８Ａのガタ付きや跳ね上がりが生じない確実な固定作用を得ることができる。
【００２７】
また、前記ロック状態において、ドライバー３５によってロックボルト２６を弛緩方向へ回転操作することにより、その螺進作用を介してロック片２９が降下して当接端部３２と梁部材１０との圧接が解除される。そして、ドライバー３５によってロックボルト２６を後方へ移動操作することにより、図２（ｂ），図３（ｂ）に示すように、ロック片２９が進出位置から退避位置に変換されてロック解除状態となる。この時、主板部２３の上面にロック解除規制突起３４が設けられている場合には、ドライバー３５をロックボルト２６の操作頭部２７に係合した状態で前方へ傾斜させることにより、操作頭部２７が傾斜して後部側が主板部２３の上面から浮き上がるので、ロック解除規制突起３４を乗り越えて後方へ容易に移動させることができる。そして、このロック解除状態で溝蓋１８Ａを着脱し得るので、従来のように、弾性圧接片部ｆ（図１２参照）が排水溝路の内側面に常に弾接した状態で摺動することによる摺動抵抗が生じることがなく、その着脱作業を楽に行うことができる。
【００２８】
また、従来のように、ロックボルトｍ（図１４参照）が常に同じ位置を維持するものとは異なり、ロックボルト２６はロック片２９とともに進退するので、ロック状態において、万一、ロックボルト２６が緩んでロック片２９が後退し、ロック解除状態となった場合には、ロックボルト２６もロック片２９とともに後退するため、該ロックボルト２６の位置によって溝蓋１８Ａが固定状態にあるか否かを目視で容易に判断することができる。
【００２９】
さらに、主板部２３の上面にロック片２９を進出位置に保持するロック解除規制突起３４を設けた場合には、万一、振動や衝撃でロックボルト２６が緩んでも、操作頭部２７に後方から当接しているロック解除規制突起３４によってロックボルト２６の後退が阻止されることにより、直ちにロック片２９がロック解除状態となることを防止することができる。
【００３０】
尚、前記ロック片２９をバネ鋼材を素材に用いて形成することにより、当接端部３２が梁部材１０の下面に圧接するロック状態において、ロックボルト２６をさらに強く緊締すると、ロック片２９の中央部が上方に湾曲するように弾性変形して弾発力を生じるため、ロックボルト２６が緩み難いものとなる。
【００３１】
また、上記第一実施例では、排水溝路１の上部の略中央に該排水溝路１の開口幅より狭い開口部８を形成し、該開口部８を覆う溝蓋１８Ａをロック装置２１によって固定する構成について説明したが、これに代えて、図４に示す第二実施例のように、開口部８を排水溝路１の上部の最も側部に偏倚した位置に形成し、該開口部８を覆う溝蓋１８Ａをロック装置２１によって固定することも可能である。尚、その他、第一実施例と同じ構成部分には、第一実施例と同じ符号を付して重複する説明を省略する。
【００３２】
また、上記第一実施例及び第二実施例にあっては、コンクリート１５及び化粧タイル１６からなる舗装材１７を敷設する施工に適するように、支持枠５，５の立ち上がり縁６，６の高さが低く設定されているが、これに代えて、図５に示す第三実施例のように、砂３６及び化粧ブロック３７からなる舗装材１７を敷設する施工に適するように、立ち上がり縁６，６を高く設定してもよい。この場合、両立ち上がり縁６，６間の開口部８を覆う溝蓋１８Ａは、両立ち上がり縁６，６間に横架された嵩上げ杆３８上に乗載され、該嵩上げ杆３８によって蓋受杆が構成されることとなる。
【００３３】
図６は第四実施例を示し、この第四実施例は、前記主板部２３に形成される長孔２５を一方の側板部２４の所定高さ位置まで一連に延出させて形成したものである。その他、第一実施例と同じ構成部分には、第一実施例と同じ符号を付して重複する説明を省略する。
【００３４】
かかる構成にあっては、ロック片２９を、図６（ａ）に示す状態から水平に９０°回動させた状態で、図６（ｂ）に示すように、ロックボルト２６の雄螺子杆部２８を長孔２５に沿って側板部２４内に移動させることにより、ロックボルト２６及びロック片２９を溝蓋１８Ａの下面に沿うように横臥させることができる。尚、この横臥状態はガムテープ等の便宜的な固定部材（図示省略）を用いて保持することができる。これにより、溝蓋１８Ａの梱包及び搬送時において、ロックボルト２６及びロック片２９が下方に突出せず、溝蓋１８Ａを略フラットにすることができるため、取扱い性がよく、また搬送の効率性を向上させることができる。
【００３５】
図７〜図１０は第五実施例を示し、この第五実施例における排水溝路１は、地盤の所定深さ位置に断面略コ字形に打設したコンクリートにより構築されており、この排水溝路１の対向する上部内縁には、図７に示すように、金属製アングル材からなる略Ｌ形の蓋受枠３９が排水溝路１の長手方向に沿って夫々配設されている。この蓋受枠３９の水平状蓋受け縁３９ａの下面には、後述する溝蓋１８Ｂの少なくとも対角関係にある二隅部分に対応する位置に、排水溝路１の内方に向けて開口する略箱形の囲繞枠体４０が溶接により夫々接合されており、該囲繞枠体４０によって蓋受枠３９の下部に嵌挿空隙４１が設けられている。尚、この嵌挿空隙４１は、抜き型を用いて蓋受枠３９の下部のコンクリート内に直に形成することも可能であり、また、ロック装置２１を既設の溝蓋に後付けする場合には、蓋受枠３９の下部のコンクリートをはつることによって形成することができる。
【００３６】
前記排水溝路１には、両側の蓋受枠３９に側縁が夫々支承された状態で、排水溝路１の上部開口の全体を覆う溝蓋１８Ｂが着脱可能に被着されている。該溝蓋１８Ｂは金属製のグレーチングからなり、図９に示すように、蓋受枠３９に直交する方向に沿って所定間隔で並列した複数のメインバー４２と、各メインバー４２の両側端部に沿って夫々差し渡されたサイドバー４３と、各メインバー４２に直交して所定間隔で差し渡された適数本のクロスバー４４とによって構成されている。尚、各メインバー４２の相互間隔は、図１０に示すように、ロック装置２１の主板部２３を上方から挿通し得る所定の間隔に設定されている。
【００３７】
前記溝蓋１８Ｂの少なくとも対角関係にある二隅部分で、前記各嵌挿空隙４１に対応する位置にはロック装置２１が夫々配設されている。該ロック装置２１は、図１０に示すように、主板部２３と該主板部２３の左右両端縁から上方に延成された一対の側板部２４，２４とにより断面コ字形に形成されたホルダー２２を備えており、さらに前記側板部２４，２４の上端には外側方に水平状に延出する支持縁部２４ａ，２４ａが連成されている。そして、ホルダー２２を隣接するメインバー４２，４２間に上方から挿通して、支持縁部２４ａ，２４ａを該メインバー４２，４２の上面に係止させた状態で、該支持縁部２４ａ，２４ａとメインバー４２，４２とを溶接によって接合することにより、前記主板部２３が溝蓋１８Ｂの下部位置に略水平状に配設されている。主板部２３には、蓋受枠３９に略直交する方向に沿う所定長さの長孔２５が形成されており、該長孔２５にはロックボルト２６が上方から挿通されている。
【００３８】
前記ロックボルト２６の雄螺子杆部２８は、第一実施例と同様に、ロック片２９に形成された上下方向の螺子孔３０に螺合されており、これによってロック片２９がロックボルト２６によりホルダー２２に吊持されている。該ロック片２９は、前端に蓋受枠３９の下面に当接可能な当接端部３２を備えており、前記ロックボルト２６に対する進退操作によって、該当接端部３２が蓋受枠３９の下面に対向する進出位置（図７参照）と、該進出位置から退避する退避位置（図８参照）間を進退し、また、前記ロックボルト２６に対する回転操作により、その螺進作用を介して昇降するように設けられている。ここで、ロック片２９の後端には、図７に示すように、前記進出位置でホルダー２２の後部側の端面２２’に当接して回動規制作用を生じる立ち上がり端部３３が設けられており、該立ち上がり端部３３によってホルダー２２に対するロック片２９の回動を規制する回動規制手段が構成されている。
【００３９】
また、前記主板部２３の上面には、ロック片２９の進出位置におけるロックボルト２６の操作頭部２７に後方から当接して、ロック片２９を進出位置に保持するロック解除規制突起３４が、必要に応じて設けられる。その他、第一実施例と同じ構成部分には、第一実施例と同じ符号を付して重複する説明を省略する。
【００４０】
かかる構成にあって、溝蓋１８Ｂの少なくとも対角関係にある二隅部分に夫々配設された各ロック装置２１のロック片２９が、図８に示すように、退避位置にあるロック解除状態において、各ロックボルト２６の操作頭部２７にドライバー３５の先端を係合し、該ドライバー３５によってロックボルト２６を前方へ移動操作することにより、図７に示すように、ロック片２９が退避位置から進出位置に変換される。この時、主板部２３の上面にロック解除規制突起３４が設けられている場合には、ドライバー３５をロックボルト２６の操作頭部２７に係合した状態で後方へ傾斜させることにより、操作頭部２７が傾斜して前部側が主板部２３の上面から浮き上がるので、ロック解除規制突起３４を乗り越えて前方へ容易に移動させることができる。そして、このようにロック片２９の当接端部３２が蓋受枠３９の下面に対向する進出位置で、ロックボルト２６を緊締方向へ回転操作することにより、その螺進作用を介してロック片２９が上昇して当接端部３２が蓋受枠３９の下面に圧接するロック状態が得られる。そして、このロック状態においては、ロック片２９の当接端部３２が蓋受枠３９の下面に圧接されていることにより、溝蓋１８Ｂが移動不能に保持され、これによって該溝蓋１８Ｂのガタ付きや跳ね上がりが生じない確実な固定作用を得ることができる。
【００４１】
また、前記ロック状態において、ドライバー３５によってロックボルト２６を弛緩方向へ回転操作することにより、その螺進作用を介してロック片２９が降下して当接端部３２と蓋受枠３９との圧接が解除される。そして、ドライバー３５によってロックボルト２６を後方へ移動操作することにより、図８に示すように、ロック片２９が進出位置から退避位置に変換されてロック解除状態となる。この時、主板部２３の上面にロック解除規制突起３４が設けられている場合には、ドライバー３５をロックボルト２６の操作頭部２７に係合した状態で前方へ傾斜させることにより、操作頭部２７が傾斜して後部側が主板部２３の上面から浮き上がるので、ロック解除規制突起３４を乗り越えて後方へ容易に移動させることができる。そして、このロック解除状態で溝蓋１８Ｂを着脱し得るので、従来のように、弾性圧接片部ｆ（図１２参照）が排水溝路の内側面に常に弾接した状態で摺動することによる摺動抵抗が生じることがなく、その着脱作業を楽に行うことができる。
【００４２】
また、従来のように、ロックボルトｍ（図１４参照）が常に同じ位置を維持するものとは異なり、ロックボルト２６はロック片２９とともに進退するので、ロック状態において、万一、ロックボルト２６が緩んでロック片２９が後退し、ロック解除状態となった場合には、ロックボルト２６もロック片２９とともに後退するため、該ロックボルト２６の位置によって溝蓋１８Ｂが固定状態にあるか否かを目視で容易に判断することができる。
【００４３】
さらに、主板部２３の上面にロック片２９を進出位置に保持するロック解除規制突起３４を設けた場合には、万一、振動や衝撃でロックボルト２６が緩んでも、操作頭部２７に後方から当接しているロック解除規制突起３４によってロックボルト２６の後退が阻止されることにより、直ちにロック片２９がロック解除状態となることを防止することができる。
【００４４】
尚、この第二実施例では、ロック装置２１を既設の溝蓋に後付けする場合、または溝蓋１８Ｂの製造時に先付けする場合の二通りの取付け態様に対応し得るように、ホルダー２２を構成する側板部２４，２４を上下方向に長くするとともに、その上端に水平状の支持縁部２４ａ，２４ａを連成しているが、先付け専用とする場合には、第一実施例と同様に、短尺状の側板部２４，２４の上端を溝蓋１８Ｂの底面に溶接によって接合することも可能である。また、ロック装置２１を溝蓋１８Ｂの対角関係にある二隅部分に配設しているが、これに代えて、溝蓋１８Ｂの四隅部分に夫々配設してもよい。
【００４５】
また、溝蓋１８Ｂは必ずしもグレーチングである必要はなく、図１１に示すように、内部に舗装材４５を充填し得る箱枠４６を備えた充填式溝蓋であってもよい。この場合には、箱枠４６の底壁に操作口４７が開口され、該操作口４７の下部にロック装置２１が配設されるとともに、該操作口４７の上部を囲繞する、着脱可能なキャップ体４８を備えた套管４９が底壁上に立設されることとなる。
【００４６】
さらに、本発明にかかるロック装置２１は、一列状に列設されるグレーチングからなる溝蓋の端部相互を固定する場合にも用いることが可能である。
【図面の簡単な説明】
【００４７】
【図１】第一実施例にかかるロック装置２１を備えた溝蓋１８Ａの施工状態を示す縦断面図である。
【図２】（ａ）はロック片２９が進出位置にある状態を示す要部の平面図、（ｂ）はロック片２９が退避位置にある状態を示す要部の平面図である。
【図３】（ａ）はロック片２９が進出位置にある状態を示す要部の側断面図、（ｂ）はロック片２９が退避位置にある状態を示す要部の側断面図である。
【図４】第二実施例の施工状態を示す縦断面図である。
【図５】第三実施例の施工状態を示す縦断面図である。
【図６】第四実施例のロック装置２１を示し、（ａ）はロック装置２１の縦側断面図、（ｂ）はロックボルト２６及びロック片２９を横臥させた状態の作用説明図である。
【図７】第五実施例にかかるロック装置２１のロック片２９が進出位置にある状態を示す施工状態の縦断面図である。
【図８】同上のロック装置２１のロック片２９が退避位置にある状態の作用説明図である。
【図９】同上のロック装置２１を備えた溝蓋１８Ｂの平面図である。
【図１０】同上のロック装置２１を備えた溝蓋１８Ｂの側断面図である。
【図１１】溝蓋１８Ｂを充填式溝蓋とした場合の構成を示す施工状態の縦断面図である。
【図１２】従来の跳ね上がり防止装置ａを備えた溝蓋ｄの施工状態を示す縦断面図である。
【図１３】従来の締結具を備えた溝蓋ｄの施工状態を示す縦断面図である。
【図１４】同上の締結具における要部の平面図である。
【符号の説明】
【００４８】
１  排水溝路
５  支持枠
１０  梁部材（蓋受杆）
１８Ａ，１８Ｂ  溝蓋
２１  ロック装置
２２  ホルダー
２３  主板部
２５  長孔
２６  ロックボルト
２７  操作頭部
２９  ロック片
３０  螺子孔
３２  当接端部
３３  立ち上がり端部（回動規制手段）
３４  ロック解除規制突起
３８  嵩上げ杆（蓋受杆）
３９  蓋受枠  
【図１】
2007169993.tif 000003
【図２】
2007169993.tif 000004
【図３】
2007169993.tif 000005
【図４】
2007169993.tif 000006
【図５】
2007169993.tif 000007
【図６】
2007169993.tif 000008
【図７】
2007169993.tif 000009
【図８】
2007169993.tif 000010
【図９】
2007169993.tif 000011
【図１０】
2007169993.tif 000012
【図１１】
2007169993.tif 000013
【図１２】
2007169993.tif 000014
【図１３】
2007169993.tif 000015
【図１４】
2007169993.tif 000016